(57)【要約】【課題】  ローラ塗装具３のローラ６に押し付け癖を着けずに、容器本体１１につり下げるようにする。【解決手段】  容器本体１１には、その容器本体１１の開口を跨いで一対の持ち手１２，１３を回動自在に設ける。このようにした持ち手１２，１３は互いに支え合いながら、一方の持ち手がこの発明の位置保持手段を構成する。そして、持ち手１２，１３の先端には引掛け部１８，１９を設け、この引掛け部１８，１９に、ローラ塗装具３のフック部５を引っ掛けられるようにしている。【選択図】  図１
2020032367.tif 000002
【特許請求の範囲】
【請求項１】
容器本体と、
この容器本体の開口を跨ぐとともに回動可能にした持ち手と、
上記持ち手に設けられた引掛け部と、
上記持ち手の起立状態において、容器本体の開口の上方であってその開口の範囲に対応する位置に上記引掛け部を保持する位置保持手段と
が備えられ、
上記引掛け部に塗装具のフック部が引っ掛けられた状態で、当該塗装具を上記容器本体内の壁面に接触せずにつり下げ可能にした塗料容器。
【請求項２】
上記持ち手が一対備えられ、
上記一対の持ち手は、一方の持ち手が他方の持ち手に対してつっかい棒の役割を果たして起立状態を保つとともに、
この起立状態において、上記他方の持ち手が位置保持手段を構成する請求項１に記載の塗料容器。
【請求項３】
一対の持ち手のそれぞれには、それらの起立状態において、持ち手の回動支点とは反対側である先端側に板状の上記引掛け部が設けられ、
一対の持ち手の起立状態において、上記板状の引掛け部が互いに接合するとともに、これら引掛け部の合計厚さが上記フック部の鉤幅よりも小さく保たれ、
これら接合した一対の引掛け部に上記塗装具のフック部を引っ掛けることができる構成にした請求項１又は２に記載の塗料容器。
【請求項４】
上記持ち手の起立状態において、容器本体の開口レベルから上記引掛け部までの長さを、この引掛け部に引っ掛けられた上記塗装具のフック部から塗装具先端までの長さよりも長くした請求項１〜３いずれか１に記載の塗料容器。
【発明の詳細な説明】
【技術分野】
【０００１】
この発明は、塗装作業時に塗料を入れて持ち運ぶ塗料容器に関する。
【背景技術】
【０００２】
塗装作業時に塗料を入れて持ち運ぶ容器として、図４に示すものが従来から知られている。
この塗料容器は、容器本体1に回動自在にした持ち手２を設けている。
塗装作業時には、塗装面の面積あるいは1回分の塗装作業に応じた適正量の塗料を、容器本体１に入れて持ち運ぶ。
【０００３】
そして、当該容器本体１の持ち運び時や、塗装作業の一時的な中断時には、例えば、図５に示したローラ塗装具３のハンドル４に設けられたフック部５を、容器本体１の縁に引っ掛けるようにしていた。
このようにして引っ掛けられたローラ塗装具３は、それに作用する重力でローラ６が容器本体１の内側の壁面１ａに押し付けられてしまう。
また、上記のように引っ掛けられたローラ塗装具３は、容器内の塗料に浸かってしまうことがある。そのローラ塗装具３を長時間使わない場合には、それを塗料に浸けたままにしておいてもよい。しかし、ローラ塗装具３を短時間で再び使うときには、余分な塗料を吐き出すしごきなどの調整作業が必要になる。
【先行技術文献】
【特許文献】
【０００４】
【特許文献１】特開２００９−８２７８７号公報
【発明の概要】
【発明が解決しようとする課題】
【０００５】
上記のようにした従来の塗料容器では、引っ掛けられたローラ塗装具３が、それに作用する重力でローラ６が容器本体１の内側の壁面１ａに押し付けられてしまうので、ローラ６の表面に押し付け癖がついてしまう。このようにローラ６の表面に押し付け癖がついたままでローラ６を使用すると、塗装むらができてしまうという問題があった。
また、一定の時間放置して上記押し付け癖を復元させてからローラ６を用いることも考えられるが、この場合には、復元させる時間が必要なので、塗装作業に時間がかかるという問題が発生する。
さらに、塗装ローラ具３を容器本体ａに引っ掛けたり使用したりを、短い時間でくり返す場合には、ローラ６に含まれた余分な塗料を吐き出すしごきなどの調整作業が必要になり、作業効率が悪くなるという問題があった。
【０００６】
この発明の目的は、容器本体に塗装具をつるしても、塗装具に押し付け癖がつかず、しかも、作業効率が落ちない塗料容器を提供することである。
【課題を解決するための手段】
【０００７】
第１の発明は、容器本体と、この容器本体の開口を跨ぐとともに回動可能にした持ち手と、この持ち手に設けられた引掛け部と、持ち手の起立状態において、容器本体の開口の上方であってその開口の範囲に対応する位置に上記引掛け部を保持する位置保持手段とを備えている。そして、上記引掛け部に塗装具のフック部が引っ掛けられた状態で、当該塗装具を上記容器本体内の壁面に接触せずにつり下げることができる。
【０００８】
上記引掛け部は、塗装具のフック部を引っ掛けられればどのような形態でもよい。例えば、塗装具のフック部の形態に応じて、薄い板でもよいし、孔でもよい。
また、上記位置保持手段は、持ち手の回動を阻止して、それを起立状態に保ちながら引掛け部を容器本体の開口の上方であってその開口の範囲に対応する位置に保持できるものであれば、構成は限定されない。例えば、持ち手の回動支点にストッパーを設け、持ち手の起立位置においてストッパーが機能して持ち手が倒れるのを防止する構成、あるいは上記回動支点の軸のはめ合い摩擦で持ち手の回動を阻止する構成のいずれであってもよい。さらに、持ち手の起立状態においてその持ち手に対して、つっかい棒の役割を果たす部材を設けてもよい。
【０００９】
第２の発明は、上記持ち手が一対備えられ、上記一対の持ち手は、上記一方の持ち手が他方の持ち手に対してつっかい棒の役割を果たして起立状態を保つとともに、この起立状態において、上記他方の持ち手が位置保持手段を構成する。
【００１０】
第３の発明は、一対の持ち手のそれぞれに、それらの起立状態において、持ち手の回動支点とは反対側である先端側に板状の上記引掛け部が設けられている。そして、一対の持ち手を起立させた状態において、板状の引掛け部が互いに接合する。この接合状態における引掛け部の合計厚さは、フック部の鉤幅よりも小さく保たれている。したがって、塗装具のフック部を、互いに接合した引掛け部に引っ掛けることができる。
【００１１】
第４の発明は、上記持ち手の起立状態において、容器本体の開口レベルから引掛け部までの長さを、この引掛け部に引っ掛けられた塗装具のフック部から塗装具先端までの長さよりも長くしている。したがって、引掛け部に引っ掛けられた塗装具先端は、容器本体の開口レベルよりも上方に保持されることになる。
【発明の効果】
【００１２】
この発明の塗料容器によれば、持ち手の部分に塗装具を引っ掛け、塗装具を上記容器本体内の壁面に接触せずにつり下げることができるので、塗装具の塗装部分が容器本体内の壁面に押し付けられたり、容器本体内の塗料にどっぷりつかったりしない。したがって、ローラに押し付け癖がついたりしないし、使用のたびにローラに含まれた余分な塗料を吐き出すしごきなどの調整作業が不要になる。
【図面の簡単な説明】
【００１３】
【図１】容器本体の正面図である。
【図２】持ち手の回動支点部分の正面図である。
【図３】内部に仕切りを設けた容器本体の平面図である。
【図４】従来の容器本体の断面図である。
【図５】ローラ塗装具のハンドル部分の斜視図である。
【発明を実施するための形態】
【００１４】
図１，２に示した実施形態は、容器本体１１に、アーチ状にしたほぼ同一寸法の一対の持ち手１２，１３を、容器本体１１の開口を跨ぐようにして回動可能に設けている。すなわち、上記各持ち手１２，１３の基端には、この発明の回動支点となる回動支持部１２ａ，１３ａを設けるとともに、この回動支持部１２ａ，１３ａには、図示したように容器本体１１に設けた軸１４，１５を貫通させる長形の孔１６，１７を形成している。
【００１５】
そして、この孔１６，１７は、その長手方向を持ち手１２，１３に連続させている。この孔１６，１７には大径部１６ａ，１７ａと小径部１６ｂ，１７ｂとを形成している。大径部１６ａ、１７ａは、軸１４，１５と相対回転自在にし、小径部１６ｂ，１７ｂは軸１４，１５とぴったりはまり合って、はめ合い摩擦が発揮されるようにしている。
したがって、軸１４，１５が大径部１６ａ，１７ａ内にあれば、持ち手１２，１３は自由に回動するが、軸１４，１５が小径部１６ｂ，１７ｂ内に押し込まれた状態では、持ち手１２，１３ははめ合い摩擦によって回動位置を保持できるようにしている。
【００１６】
上記のようにした一対の持ち手１２，１３は、それらが互いにつっかい棒のように寄りかかりあった状態で、容器本体１１の開口を跨ぐようにして起立状態を保つ。
なお、持ち手１２，１３が上記のように互いに寄りかかりながら起立状態を保つ構成において、いずれか一方の持ち手がこの発明の位置保持手段を構成する。ただし、上記のように軸１４，１５と小径部１６ｂ，１７ｂとのはめ合い摩擦だけで持ち手１２，１３の位置保持が可能であれば、この孔１６，１７と軸１４，１５と、上記一方の持ち手が相まって位置保持手段を構成することになる。
【００１７】
そして、上記一対の持ち手１２，１３のそれぞれであって、回動支持部１２ａ，１３ａとは反対側におけるアーチ状の先端部分には、同一寸法にした板状の引掛け部１８，１９が容器本体１１の開口の幅方向に長さを保って設けられるとともに、持ち手１２，１３が互いに寄りかかっている図１の状態で、これら引掛け部１８，１９が重なり合うようにしている。
【００１８】
上記のように重なり合った板状の引掛け部１８，１９の合計厚さは、上記したローラ塗装具３のフック部５の鉤幅よりも小さく保たれている。したがって、重なり合った引掛け部１８，１９に上記フック部５を引っ掛けることができるとともに、この引掛け状態において、一対の持ち手１２，１３が反対方向に離反しながら倒れるのを防止できる。
【００１９】
なお、持ち手１２，１３は同一寸法を維持しているので、それらの引掛け部１８，１９を重ね合わせた状態では、上記引掛け部１８，１９が、容器本体１の開口上方において、その開口の中心部分に位置することになる。
したがって、引掛け部１８，１９にローラ塗装具３のフック部５を引っ掛ければ、そのローラ塗装具３は、容器本体１１内の壁面に接触しないし、塗料の中に浸かったりしない。
【００２０】
図３に示した容器本体２０は、その内部に仕切り２１を形成し、仕切り２１で仕切られたエリアに色を違えた複数の塗料を入れられるようにしている。このように多色少量の塗料を入れられるようにしたのは、例えば、一回分の作業あるいは細かなエリアの面積等に応じた適量の塗料を入れて、それらを一度に持ち運べるようにするためである。
【００２１】
上記の容器本体２０の場合には、その容器本体２０内にローラ塗装具３をつり下げることができない。ただし、持ち手１２，１３の起立状態において、容器本体２０の開口レベルから上記引掛け部１８，１９までの長さを、引掛け部１８，１９に引っ掛けられた上記ローラ塗装具３のフック部５から塗装具先端までの長さよりも長くすれば、上記のように容器本体２０内に仕切り２１があっても、ローラ６が仕切りに接触しない状態で、ローラ塗装具３を引掛け部１８，１９からつり下げることができる。
【００２２】
なお、上記実施形態では、塗装具としてローラ塗装具を例に説明したが、刷毛であってもその柄の部分にフック部を備えていれば、上記したと同様につり下げることができる。
また、この発明の位置保持手段として、例えば引掛け部１８，１９のあわせ面に図示していないジョイントホックを設けるようにしてもよい。
【００２３】
さらに、図４に示すように、もともと１本の持ち手の上部だけに引掛け部を設けるようにしてもよい。
ただし、１本の持ち手２だけを用いる場合には、持ち手２が起立状態を保つための位置保持手段を別に設けなければならない。
例えば、持ち手２に対してつっかい棒の機能を果たす部材を設けたり、上記回転支持部１２ａ，１３ａに設けた小径部１６ｂ，１７ｂのはめ合い摩擦を大きくしたりすることが考えられる。
【００２４】
いずれにしても、上記実施形態では、塗装具のローラや刷毛を、容器本体１内の壁面に接触させることなくつり下げることができるので、ローラや刷毛に従来のような押し付け癖がついたり、ローラや刷毛が塗料に浸かることもない。
【産業上の利用可能性】
【００２５】
一時的に塗装作業を中断する状況の中で使用する塗料容器として最適である。
【符号の説明】
【００２６】
１１，２０…容器本体、１２，１３…持ち手、１８，１９…引掛け部
【図１】
2020032367.tif 000003
【図２】
2020032367.tif 000004
【図３】
2020032367.tif 000005
【図４】
2020032367.tif 000006
【図５】
2020032367.tif 000007